(57)【特許請求の範囲】
【請求項１】
魚釣用電動リールの給電コードの接続部が接続可能な出力端子を有する中空な樹脂製のバッテリケース内に、複数のリチウムイオン電池を直列に防水収容すると共に、当該バッテリケースに充電コードの接続部を接続する充電用端子を設け、当該充電用端子を上記リチウムイオン電池に接続したことを特徴とする魚釣用バッテリ。
【請求項２】
バッテリケースに、充電用端子を着脱自在に覆うカバー部材を装着したことを特徴とする請求項１記載の魚釣用バッテリ。
【請求項３】
給電コードの接続部は鰐口クリップであって、バッテリケースの出力端子に当該鰐口クリップが接続されることを特徴とする請求項１または請求項２記載の魚釣用バッテリ。
【発明の詳細な説明】
【０００１】
【発明の属する技術分野】
本発明は、魚釣用電動リールのスプールモータや電子回路等に電力を供給する魚釣用バッテリに関する。
【０００２】
【従来の技術】
船釣り等、一般に深場の魚層を対象とした魚釣りを行う場合、魚釣用電動リール（以下、「電動リール」という）が広く使用されている。
従来周知のようにこの電動リールは、リール本体に装着したスプールモータの駆動でスプールを回転させて釣糸の巻取りを行うもので、別途用意したバッテリに給電コードを接続してスプールモータを駆動させるようになっている。
【０００３】
そして、従来、この種の魚釣用バッテリとしては、実開平７−７４４３号公報に開示されるように鉛蓄電池を用いたものが広く知られており、釣人は電動リールに接続した電源コードの鰐口クリップをバッテリの出力端子に接続して、電動リールに電力を供給している。
【０００４】
【発明が解決しようとする課題】
ところで、魚釣用バッテリは、実釣に対応した船上での移動や釣り場の移動等で出力端子への鰐口クリップの着脱頻度が多く、また、出力端子がバッテリケースから突出しているため、釣り場の移動や携帯時に出力端子に外力が加わり易く、長期に亘る使用で出力端子が摩耗したり傷が付き易いといった不具合が指摘されている。
【０００５】
そして、使用経過に伴いバッテリの充電量は低下するため、定期的に充電器を用いて充電する必要があるが、出力端子が摩耗したり傷が付いていると、充電時に電気的な接続不良が生じて確実な充電が行えない欠点が指摘されている。
【０００７】
本発明は斯かる実情に鑑み案出されたもので、充電時に於ける電気的な接続不良を防止した魚釣用バッテリを提供することを目的とする。
【０００８】
【課題を解決するための手段】
斯かる目的を達成するため、請求項１に係る魚釣用バッテリは、魚釣用電動リールの給電コードの接続部が接続可能な出力端子を有する中空な樹脂製のバッテリケース内に、複数のリチウムイオン電池を直列に防水収容すると共に、当該バッテリケースに充電コードの接続部を接続する充電用端子を設け、当該充電用端子を上記リチウムイオン電池に接続したことを特徴とする。
【０００９】
そして、請求項２に係る発明は、請求項１記載の魚釣用バッテリに於て、バッテリケースに、充電用端子を着脱自在に覆うカバー部材を装着したことを特徴とし、請求項３に係る発明は、請求項１または請求項２記載の魚釣用バッテリに於て、給電コードの接続部は鰐口クリップであって、バッテリケースの出力端子に当該鰐口クリップが接続されることを特徴とする。
【００１０】
（作用）
請求項１に係る魚釣用バッテリによれば、実釣に当たり、電動リールに接続した給電コードの接続部を出力端子に接続すれば、所望電力でスプールモータが駆動され、請求項３の発明にあっては、バッテリケースの出力端子に給電コードの鰐口クリップが接続される。
そして、各請求項に係る発明によれば、長期に亘る使用でバッテリ容量が低下したときは、充電用端子に充電コードの接続部を装着してリチウムイオン電池が充電されることとなる。
【００１１】
また、請求項２に係る発明によれば、釣人が釣り場に向かい、また、釣り船に乗り込む際には、バッテリケースにカバー部材に取り付けて魚釣用バッテリを持ち運べばよく、カバー部材が外力による充電用端子の損傷を防止する。
そして、バッテリ容量が低下したときは、カバー部材を外して充電用端子に充電コードの接続部を装着すればよい。
【００１３】
【発明の実施の形態】
以下、本発明の実施形態を図面に基づき詳細に説明する。
図１乃至図３は請求項１乃至請求項３に係る魚釣用バッテリの一実施形態を示し、図１及び図２に於て、１は直方体形状に成形された中空な樹脂製のバッテリケース本体、３は同じく樹脂で成形された断面コ字状の底体で、当該底体３の周囲のフランジ部３ａにバッテリケース本体１を水密性を以って冠着して、バッテリケース５が形成されている。そして、従来と同様、バッテリケース本体１の上面１ａに、一対の＋出力端子７と−出力端子９が左右に離間して突設されている。
【００１４】
そして、バッテリケース５内には、＋出力端子７と−出力端子９とに直列接続された３本のリチウムイオン電池１１が防水収納されており、電動リールに接続した電源コードの鰐口クリップを＋出力端子７と−出力端子９に接続すると、電動リールのスプールモータや電子回路等に電力が供給されるようになっている。
また、図１に示すようにバッテリケース本体１の上面１ａの中央部には、平面形状矩形状のカバー取付壁１３が出力端子７，９間に一体的に突設されており、当該カバー取付壁１３に、断面コ字状に成形された樹脂製のカバー部材１５が水密性を以って着脱自在に装着されている。
【００１５】
そして、カバー取付壁１３で囲繞されたバッテリケース本体１の上面１ａには、リチウムイオン電池１１に直列接続された充電用端子１７，１９と、充電時の発生ガスを排気する排気孔２１が設けられており、図示するようにカバー取付壁１３にカバー部材１５を装着すると、当該カバー部材１５で充電用端子１７，１９と排気孔２１とが水密性を以って被覆されるようになっている。
【００１６】
更に、上記充電用端子１７，１９間には、３本の温度検出ピン２３が並列して取り付けられており、各温度検出ピン２３は、各リチウムイオン電池１１の外周に装着した温度センサ２５に夫々接続されている。
温度センサ２５は、バッテリケース５内の温度を検出するもので、図３に示すように上記温度検出ピン２３に、図示しない充電器から延びるコネクタ２７が接続され、そして、温度センサ２５で検出されたバッテリケース５内の温度が、温度検出ピン２３，コネクタ２７を介して充電器に入力されるようになっている。
【００１７】
尚、本実施形態では、温度センサ２５をリチウムイオン電池１１の外周に装着したが、その取付位置はバッテリケース５の内部構造に応じて適宜変更可能である。
そして、充電器には、充電用端子１７，１９に接続可能な鰐口クリップが取り付く充電コードが装着されているが、充電器には更に、上記コネクタ２７を介して入力されたバッテリケース５内の温度に基づき充電制御を行う制御装置が組み込まれており、当該制御装置は、バッテリケース５内の温度が低いときには高速充電を行い、そして、バッテリケース５内の温度が温度が高いときは、高速充電が危険なために充電をセーブするようになっている。
【００１８】
また、図示しないがバッテリケース５の外部には、携帯用の把手や肩掛け用のベルトを装着するベルト通し等が設けられている。
本実施形態に係る魚釣用バッテリ２９はこのように構成されているから、釣人が釣り場に向かい、また、釣り船に乗り込む際には、カバー部材１５をカバー取付壁１３に取り付けて、バッテリケース５に設けた把手や装着したベルトで魚釣用バッテリ２９を持ち運べばよい。
【００１９】
そして、実釣に当たり、電動リールに接続した給電コードの鰐口クリップを出力端子７，９に接続すれば、所望電力でスプールモータが駆動され、そして、カバー部材１５とカバー取付壁１３が排気孔２１からバッテリケース５内への海水の浸入を防止すると共に、外力による充電用端子１７，１９の損傷を防止する。また、長期に亘る使用でバッテリ容量が低下したときは、図３に示すようにカバー部材１５を外して、温度検出ピン２３にコネクタ２７を接続すると共に、充電用端子１７，１９に充電コードの鰐口クリップを装着すればよく、バッテリケース５内の温度が低いときは充電器の制御装置がリチウムイオン電池１１の高速充電を行い、また、バッテリケース５内の温度が温度が高いときは、充電をセーブしてゆっくりと充電を行うこととなる。そして、充電時にバッテリケース５内に発生したガスは排気孔２１から外部に排出されて、バッテリケース５の内圧上昇が防止されることとなる。
【００２０】
そして、充電終了後、コネクタ２７と鰐口クリップを外し、カバー部材１５をカバー取付壁１３に装着して使用に供すればよい。
このように、本実施形態は、出力端子７，９と充電用端子１７，１９とをバッテリケース５に別々に設けたので、給電接続の繰返しによる充電用端子１７，１９の摩耗がなくなり、充電時の電気的な接続不良を防止することができることとなった。
【００２１】
而も、上述したように本実施形態は、充電用端子１７，１９と排気孔２１をカバー取付壁１３とカバー部材１５とで保護しているため、充電用端子１７，１９の外力による損傷を防止できると共に、排気孔２１をカバー部材１５で覆うことで完全な防水が図れ、この結果、釣り場の状況の影響を受けずにバッテリの機能を長期に亘って維持することができ、また、充電時には発生ガスが排気孔２１から外部に排出されるため、バッテリケース５の不必要な内圧上昇を防止することができることとなった。
【００２３】
【発明の効果】
以上述べたように、請求項１乃至請求項３に係る発明によれば、バッテリケースに出力端子と充電用端子とを別々に設けたので、給電接続の繰返しによる充電用端子の摩耗がなくなって、充電時の電気的な接続不良を防止することができることとなった
【００２４】
そして、請求項２に係る発明は、充電用端子をバッテリケースに着脱自在なカバー部材で保護したので、移動時の外力影響等による充電用端子の損傷を防止することが可能である。
【図面の簡単な説明】
【図１】請求項１乃至請求項３の一実施形態に係る魚釣用バッテリの平面図である。
【図２】図１のＩＩ−ＩＩ線断面図である。
【図３】図１に示す魚釣用バッテリの充電時の要部拡大断面図である。
【符号の説明】
１  バッテリケース本体
３  底体
５  バッテリケース
７  ＋出力端子
９  −出力端子
１１  リチウムイオン電池
１３  カバー取付壁
１５  カバー部材
１７，１９  充電用端子
２１  排気孔
２３  温度検出ピン
２９  魚釣用バッテリ
【図１】
0003558549.tif 000002
【図２】
0003558549.tif 000003
【図３】
0003558549.tif 000004